(57)【要約】      （修正有）【課題】左右の肩部を展開位置で拘束する係止爪と係止受部とを設け、該係止爪を係止受部から外すことで左右の肩部を折畳み位置に変位させることができる衣服用開閉ハンガーを提供する。【解決手段】左右の肩部２の基端側をそれぞれ枢着した支持部材３と、該支持部材に嵌挿して上下に摺動されると共に、上部に吊下げ用フック４を設けた支持部材と、前記左右の肩部と支持部材との間に両端が枢着されて、支持部材の昇降により左右の肩部を開閉させる左右一対のリンク部材５と、前記支持部材に形成された受部３２と、前記支持部材に形成されて前記受部に係脱可能な係止爪部を有し、該係止爪部を受部への係合方向に付勢された弾性片部とからなることを特徴とする。【選択図】図１
2015150299.tif 000002
【特許請求の範囲】
【請求項１】
左右の肩部の基端側をそれぞれ枢着した支持部材と、
該支持部材に嵌挿して上下に摺動されると共に、上部に吊下げ用フックを設けた作動部材と、
前記左右の肩部と支持部材との間に両端が枢着されて、支持部材の昇降により左右の肩部を開閉させる左右一対のリンク部材と、
前記支持部材に形成された受部と、
前記作動部材に形成されて前記受部に係脱可能な係止爪部を有し、該係止爪部を受部への係合方向に付勢された弾性片部とからなることを特徴とする衣服用開閉ハンガー。
【請求項２】
弾性片部が、作動部材の中間位置で、縦に左右一対の縦スリットと、該縦スリット間を繋ぐ横スリットとで切り離された弾性片からなっており、
該弾性片に受部に係合する係止爪部を突設してなることを特徴とする請求項１に記載の衣服用開閉ハンガー。
【請求項３】
作動部材の上部に吊下げ用フックの下端を固定するフック固定部が形成されており、作動部材の下部には、リンク部材の他端を枢支する枢支部が左右一対に設けられており、該枢支部の下方には環状に形成された下方把持部が一体に形成されていることを特徴とする請求項１または２に記載の衣服用開閉ハンガー。
【請求項４】
作動部材の長さが、肩部の折畳状態の際に上部が口部より上方となる長さに設定されると共に、作動部材の上部に口部より大きく口部の上に掛止められるストッパ部が形成されており、吊下げ用フックの掛止部分が肩部の折畳時に支持部材上に突出していることを特徴とする請求項１から３のいずれかに記載の衣服用開閉ハンガー。
【発明の詳細な説明】
【技術分野】
【０００１】
本発明は、ウエットスーツやその他の衣服を吊り下げることができる衣服用開閉ハンガーに関するものである。
【背景技術】
【０００２】
衣服用開閉ハンガーとして、例えば、実用新案登録第３００４２６８号の衣服用ハンガーでは、吊下げ用フック部材が支持部材に対し上下移動するに伴い支持部材に対し互いに反対方向に回動するように配設された左肩部及び右肩部各々を、長尺状の肩本体と、長尺状の可動部材とを備えた構成が開示されている。
この衣服用ハンガーは、上記吊下げ用フック部が、左肩部と右肩部とを回動自在に支持した支持部材と、フック本体とを備え、フック本体が、このフック本体と左肩部及び右肩部各々とを回動自在に接続する二つの接続片を備え、このフック本体が、支持部材に上下移動可能に取付けられることにより、支持部材に対するフック本体の上方向への移動に伴い左肩部及び右肩部が互いに所定角度をなして吊下げ用フック部に係止し得る位置まで回動し、フック本体の下方向への移動に伴い左肩部及び右肩部がその所定角度から互いに角度をなさない平行状態となる位置まで回動できるように形成されている。
そして、吊下げ用フック部が支持部材の上端位置まで引上げられた状態では、左右両接続片各々の軸ピン位置がフック部材取付部に軸支された軸支位置より下方位置となり、従って、その状態で、左肩部又は右肩部に下方向の力がかかっても上記軸支位置がフック本体と左肩部、右肩部との当接によりそれ以上、上方向に移動できないため、左肩部及び右肩部各々の回動が阻止され、開状態を維持できる構成となっている。
【先行技術文献】
【特許文献】
【０００３】
【特許文献１】実用新案登録第３００４２６８号公報
【発明の概要】
【発明が解決しようとする課題】
【０００４】
この発明は上記事情に鑑みて創案されたものであって、その主たる課題は、左右の肩部を展開位置で拘束する係止爪と係止受部とを設け、該係止爪を係止受部から外すことで左右の肩部を折畳み位置に変位させることができる衣服用開閉ハンガーを提供することにある。
【課題を解決するための手段】
【０００５】
本発明は、上記課題を達成するために、
左右の肩部の基端側をそれぞれ枢着した支持部材と、
該支持部材に嵌挿して上下に摺動されると共に、上部に吊下げ用フックを設けた作動部材と、
前記左右の肩部と作動部材との間に両端が枢着されて、作動部材の昇降により左右の肩部を開閉させる左右一対のリンク部材と、
前記支持部材に形成された受部と、
前記作動部材に形成されて前記受部に係脱可能な係止爪部を有し、該係止爪部を受部への係合方向に付勢された弾性片部とからなることを特徴とする。
【発明の効果】
【０００６】
本発明の衣服用開閉ハンガーは、吊下げ用フック部を引き上げることで係止爪部が受部に係合して、左右の肩部が展開姿勢に保持される。
また、前記係止爪部を受部から外すことで左右の肩部を折り畳むことができる。
そこで、左右の肩部を折り畳んだ状態でウエットスーツなどの衣服の首用の孔に差し込み吊下げ用フック部を引き上げることで、肩部が衣類の両肩から袖部分に入り込んで、ハンガーに掛け止めることができる。
そして、前述のように係止爪部を受部から外すことでハンガーを折畳み状態にしてハンガーを抜き取ることができる。
【図面の簡単な説明】
【０００７】
【図１】衣服用開閉ハンガーの展開状態を示す斜視図である。
【図２】衣服用開閉ハンガーの展開状態を示す底面図である。
【図３】衣服用開閉ハンガーの折畳状態を示す正面図である。
【図４】作動部材の斜視図である。
【図５】吊り下げ用フックを固定した作動部材の正面図である。
【図６】図５のＡ−Ａ線断面図である。
【図７】支持部材の断面図である。
【図８】衣服用開閉ハンガーの展開状態を示す正面図である。
【図９】図８の係合爪部と受部との係合状態を示す要部の縦断面図である。
【図１０】衣服用開閉ハンガーの展開と折畳の中間状態を示す正面図である。
【図１１】衣服用開閉ハンガーの折畳直前の状態を示す正面図である。
【図１２】係合の前または後の要部断面図である。
【図１３】係合開始時・係合解除直後の要部断面図である。
【図１４】係合爪部を複数設けた場合の支持部材と作動部材の関係を示す説明図であって（ａ）は上段の係止爪部を係合した状態、（ｂ）は下段の係止爪部を係合した状態の断面図である。
【図１５】受部が支持部材の中途位置に形成された孔部である場合の要部断面図である。
【図１６】支持部材に係合爪部を受部から外すための解除用の操作部を設けた場合の要部断面図である。
【発明を実施するための形態】
【０００８】
この発明は、支持部材に受部を設け、吊下げ用フックを設けた作動部材に受部との係止方向に付勢された係止爪部を設けて、作動部材を上昇させることで自動的に係止爪部を受部に係合させて肩部を展開姿勢に保持し、上記係止爪部を受部から外すことで、肩部を折畳姿勢に戻すことを実現した。
【実施例１】
【０００９】
以下に、この発明の衣服用開閉ハンガーの好適実施例につき図面を参照しながら説明する。
図１から図３に示す衣服用開閉ハンガー１は、左右に延びる左右一対の肩部２と、該肩部２の基端側をそれぞれ枢着したボックス状の支持部材３と、該支持部材３に嵌挿して上下に摺動すると共に上部に吊下げ用フック４を取り付けた長尺の作動部材１０と、前記左右の肩部２と作動部材１０との間に両端が枢着された左右一対のリンク部材５とからなっている。
【００１０】
［肩部］
肩部２は、倒立した船底のような断面略半円弧形状の外殻体からなって、基端側が高位置となり先端が底位置となって底面が開放されており、肩部２の内部中空には、中央に長手方向に沿って延びる１または複数条の中央補強リブ２１が一連に形成されており、該中央補強リブ２１と交差する短手方向に延びる幅補強リブ２２が略等間隔に複数設けられており、該隣接する幅補強リブ２２間に長手方向に延びる補助補強リブ２３が一体形成されている（図２参照）。
【００１１】
また、肩部２の外周壁には、側壁面の長手方向に沿っては多数の透孔２４が穿設されて通気孔、通水孔として用いられている。
更に、上記透孔２４より肩部２の頂部側には、流水路となる凹溝２５が長手方向に沿って複数条形成されている。
水切りをする必要がほとんどない衣類用の場合には、上記各補強リブや透孔、凹溝の全部または一部は設けなくてもよい。
【００１２】
上記肩部２の基端には、幅狭に設定されて後述の枢軸Ｐ１を軸支するための軸支部２６が突設されている。
更に、軸支部２６から長手方向に少し離間した位置には、後述のリンク部材５の一端を枢着する枢軸Ｐ２を軸支する軸受孔２７が形成されている（図２、図８参照）。
図示例では、前記中央補強リブ２１に孔を穿設して軸受孔２７としている。
【００１３】
［支持部材］
支持部材３は、図７に明瞭なように、底面が開口するボックス型からなっており、上部中央に、作動部材１０を嵌挿する口部３１が形成されている。
該口部３１は、作動部材１０の本体の断面形状と同一ないし僅かに大きい孔からなっており、上記口部３１の口縁部が、支持部材３を係止する受部３２となっている。
該受部３２は、係止爪部１６を介して荷重を受けることになるので、受部３２に対応する個所は強度を高めるために厚肉にしたり、補強リブを設けたり、凹凸形状としたり、その他の公知の補強構造を設けることが好ましい。
【００１４】
また、支持部材３の中空内には、作動部材１０を上下に昇降させるためのガイド部を設けてもよい。
例えば、図示例では支持部材３を前後に分割された一対の分割片とし、該分割片を固定するための固定ピンと筒部との凹凸嵌合箇所３５を前記口部３１の開口幅に合わせて設定することで摺動用のガイドとして機能させている。
【００１５】
また、支持部材３の中空内には、作動部材１０が昇降するエリアを避けた外側に前記左右の肩部２の軸支部２６にそれぞれ枢着される枢軸Ｐ１を一対に設けている。
上記枢軸Ｐ１は、前記分割片に設けた固定ピンと該固定ピンを嵌合する筒部と同様に、分割片を組み立てることで完成させるようにしておけばよい。
従って、左右の肩部２は、上記枢軸Ｐ１を支点にして折畳姿勢と展開姿勢との間をそれぞれ枢動させることができる。
【００１６】
［作動部材］
作動部材１０は、図４〜図６に示すように、略矩形の部材からなっており、上部に吊下げ用フック４の下端を固定するフック固定部１１を有している。
吊下げ用フック４は、円弧状のフック本体の下部に直線状の下部が連接された公知形状からなっている。
フック固定部１１は、吊下げ用フック４の直線状の下部を上から挿入し、下端をかしめて抜け出ないようにするための窓孔１１ａを有している。
【００１７】
また、作動部材１０の中間位置には、縦に上下に延びる左右一対の縦スリット１２と、該縦スリット１２間を繋ぐ横スリット１３を形成して、スリット１２，１３で切り離された中央の片を弾性片１５とし、該弾性片１５に前記受部３２に係合する係止爪部１６を突設している。
【００１８】
本実施例では、受部３２は、支持部材３の中央の口部３１の口縁部からなるので、前記弾性片１５は、作動部材１０より薄い肉厚となっており、作動部材１０の一方の外周面と同一面となるように配置され、係合爪部１６が外方へ突出するように形成されている。
そして、係合爪部１６は、図示例の場合、下端面１６ａが水平面となって受部３２に衝合し、上部は徐々に薄肉方向に傾斜するテーパ面１６ｂに形成され、先端が作動部材の一方の外周面と同一面となっている。
係合爪部１６の下端面１６ａは水平面としたが傾斜面などの平坦面でもよい。
この場合、受面３２は上記傾斜面に対応した傾斜面となる。
この発明では下端面は平坦面に限定されず、凹面、凸面または凹凸面としてもよく、その場合は、受部３２もこれに係合する凸面、凹面または凹凸面に形成しておけば、係合時に凹凸係合させることができる（図示せず）。受部３２に凸部を設ければ、強度を高めることもできる。
【００１９】
これにより、図１２〜図１３で示すように、口部３１の下に係止爪部１６の先端がくると、テーパ面１６ｂによって弾性片１５が徐々に内側に撓んで反発力を高めながら係止爪部１６が口部３１を通過する。
通過すると、弾性片１５の反発弾性力により弾性片１５が元の姿勢に復帰し、係止爪部１６の下端面１６ａが口部３１の口縁部と衝合して作動部材１０が支持部材３に係合され、左右の肩部が展開姿勢で拘束される（図９参照）。
また、前記係止爪部１６を内側に押し込むと、弾性片１５が内側に撓んで係止爪部１６を受部３２から外して口部３１内に挿入して作動部材１０を下降させることができる。
【００２０】
また、作動部材１０のフック固定部１１の上端は、前記口部３１より大きい外周となるように隆起したストッパ部１０ａが形成されている。
従って、作動部材１０が下降した場合も、前記ストッパ部１０ａが口部３１周縁に衝合して、作動部材１０のそれ以上の下降を規制することができ、肩部２の折畳姿勢を維持する。
【００２１】
作動部材１０の下部には、前記リンク部材５の他端を枢支する枢支部１７（図示例では枢軸Ｐ３の軸受孔）が並んで左右一対に設けられている。
そして、枢支部１７の下方には環状に形成された下方把持部１８が一体に形成されている。
【００２２】
［リンク部材］
リンク部材５は、その一端（先端）が肩部２の軸支部２６に枢軸Ｐ２によって枢着され、他端（基端）が前記作動部材１０の枢支部１７に枢軸Ｐ３によって枢着されている。
本実施例では、上記リンク部材５は、肩部２の展開姿勢及び折畳姿勢のいずれにおいても、基端側の枢軸Ｐ３の位置は、先端側の枢軸Ｐ１の位置より下方となるように設定されており、肩部２を作動部材１０に係合する必要はない。
【００２３】
従って、ハンガー１の肩部２を展開姿勢に開くには、吊下げ用フック４を引き上げて、作動部材１０を上昇させると、リンク部材５を介して左右の肩部２を開くことができる。
そして、作動部材１０の係止爪部１６を支持部材の受部３２に掛け止めることで肩部２の展開姿勢が維持される。
【００２４】
また、前記係止爪部１６を作動部材１０の内側に押し込んで受部３２から外すと、衣服が掛け止められている場合は肩部２が折畳方向に自動的に変位し、十分に変位しない場合には下降把持部１８を持って下方に引っ張るとリンク部材５を介して左右の肩部２を折畳んで閉じることができる。
所定の折畳姿勢になると作動部材１０の上部のストッパ部１０ａが口部と衝合して折畳姿勢が維持される。
本実施例では、ストッパ部１０ａを設けているので、吊り下げ用フック４は、支持部材２上に突出しているので、折畳状態であっても前記フック４で竿などに吊り下げておくことができる。
【実施例２】
【００２５】
上記実施例では、係止爪部１６が１つの場合を例示したが、上下に複数設けてもよい。
本実施例では、図１４に示すように、係止爪部１６を上下に２つ設けており、下方の係止爪部１６Ｂを受部３２に係止した場合は、上方の係止爪部１６Ａを受部３２に係止した場合に比べて肩部２の開度を段階的に小さくすることができる。
その他の構成は前記実施例と同様であるので、その説明を省略する。
【実施例３】
【００２６】
また、前記実施例では、受部３２を支持部材３の上面中央に形成したが、支持部材３の側周壁の中途位置に形成してもよい。
即ち、図１５に示すように、前記支持部材３の側周壁に開口部３１’を穿設し、該開口部３１’の下端面を幅広に設定して受部３２とする。
また、受部３２の下方を受部３２に向かい漸次厚肉となる傾斜状の壁面３２ａとすることで、係止爪部１６を受部３２に係合させることができる。
係合状態の係止爪部１６は、開口部３１’から内側に押し込むことで係合を解除することができる。
【００２７】
係合爪部１６を内側に押し込むには、手指を用いて行ってもよいが、押しボタン式にすれば、容易に係合を解除することができる。
図１６に示す場合は、支持部材３にバネ３３を介して外方へ付勢したボタン操作部３４を設けておき、ボタン操作部３４をバネ３３の付勢力に抗して押し込むことで、受部３２に係止された係止爪部１６を外すことができ、ボタン操作部３４は力が加わらなくなるとバネ３３の付勢力で元の位置に復帰するので、受部３２は係止爪部１６を掛け止め可能な状態となる。
その他の構成は前記実施例と同様であるので、その説明を省略する。
この発明は上記実施例に限定されるものではなく、要するに、この発明の要旨を変更しない範囲で種々設計変更しうること勿論である。
【符号の説明】
【００２８】
１    衣服用開閉ハンガー
２    肩部
３    支持部材
４    吊下げ用フック
５    リンク部材
１０    作動部材
１０ａ  ストッパ部
１１    フック固定部
１１ａ  窓孔
１２    縦スリット
１３    横スリット
１５    弾性片
１６    係止爪部
１６Ａ、１６Ｂ  係止爪部
１６ａ  下端面
１６ｂ  テーパ面
１７    枢支部
１８    下方把持部
２１    中央補強リブ
２２    補強リブ
２３    補助補強リブ
２４    透孔
２５    凹溝
２６    軸支部
２７    軸受孔
３１    口部
３１’  開口部
３２    受部
３２ａ  テーパ状の壁面
３３    バネ
３４    ボタン操作部
【図１】
2015150299.tif 000003
【図２】
2015150299.tif 000004
【図３】
2015150299.tif 000005
【図４】
2015150299.tif 000006
【図５】
2015150299.tif 000007
【図６】
2015150299.tif 000008
【図７】
2015150299.tif 000009
【図８】
2015150299.tif 000010
【図９】
2015150299.tif 000011
【図１０】
2015150299.tif 000012
【図１１】
2015150299.tif 000013
【図１２】
2015150299.tif 000014
【図１３】
2015150299.tif 000015
【図１４】
2015150299.tif 000016
【図１５】
2015150299.tif 000017
【図１６】
2015150299.tif 000018